(57)【要約】【課題】ねじり込み中に本体の位置の認識を失ったり、意に反する方向へ螺子込まれたりする事態を防ぎ、セットしたい頭髪の意向に沿ったより確実な髪止めを行う。【解決手段】仮想軸周りに所定の周回方向に螺旋成形された棒状の第一螺旋棒２と、前記仮想軸と同一又は並行する仮想軸周りに、前記第一螺旋棒と非接触の近接位置にて所定の周回方向へ螺旋成形された棒状の第二螺旋棒３とから構成され、前記第一、第二螺旋棒の各一端同士が互いに対向し、当該一端方向を向いて折曲又は湾曲した曲り部で繋がって連繋先部４を形成する。また第一、第二螺旋棒の各他端に、互いに離反する方向に折れ曲がった２つの離反端部６を形成する。各離反端部６は、軸交断面視にて当該螺旋棒の螺旋周回方向と逆方向へ反曲してなる。【選択図】図４
2013138765.tif 000002
【特許請求の範囲】
【請求項１】
仮想軸周りに所定の周回方向に螺旋成形された第一螺旋棒と、
前記仮想軸と同一の、又は並行する仮想軸周りに、前記第一螺旋棒と非接触の近接位置にて所定の周回方向へ螺旋成形された第二螺旋棒とから構成され、
前記各螺旋棒の一端同士が互いに対向し、所定の交差角度で繋がって連繋部を形成し、
前記各螺旋棒の他端がそれぞれ互いに離反する方向に折れ曲がって離反端部を形成してなり、
連繋部を先頭として使用者の頭髪内へ捩じり入れることで髪止めし得る頭髪成型器であって、
前記各離反端部は、軸直交断面視にて螺旋周回方向と逆方向へ反曲してなり、
軸直交断面視にて、
各離反端部付近の内側面と、各離反端部に連なる第一、第二螺旋棒の視螺旋状外側面との間に、それぞれ、径方向外方への偏倚空間が形成されることを特徴とする頭髪成型器。
【請求項２】
第一、第二螺旋棒は、それぞれの一端と他端を除く中央部分が、軸交断面視にて略半周相当の位相差を保って同一の周回方向に螺旋成形される請求項１記載の頭髪成形器。
【請求項３】
第一、第二螺旋棒のうち、他端付近から各離反端部と連なる他端にかけて、
残りの螺旋周回部分よりも外方へ偏倚しながら、螺旋周回方向と同じ軸寄り方向に螺旋湾曲して偏倚端部を構成する請求項１又は２に記載の頭髪整形器。
【請求項４】
前記各偏倚端部は、軸交断面視にて、各離反端部と連なる他端から螺旋半周回以内の棒長区間において構成され、かつ、径方向外方への少なくとも各螺旋棒の棒幅分以上の外偏倚量をもって偏倚してなる請求項３記載の頭髪成型器。
【請求項５】
連繋部は、第一、第二螺旋棒の各一端同士が９０度以内の交差角度で繋がって一体的に形成された折曲部からなり、かつ、折曲頂部の外折面から軸方向先側へ突出した突出部が形成され、さらに折曲頂部の内折面から軸方向先側へ窪んだ窪み穴が形成される請求項１、２、３又は４のいずれか記載の頭髪成形器。
【請求項６】
連繋部は、第一、第二螺旋棒の各一端同士が９０度以内の交差角度で繋がって一体的に形成された折曲部からなり、かつ、折曲頂部の連繋側面の少なくとも片側から軸交方向外側へ膨出した膨出部が形成される請求項１、２、３、４又は５のいずれか記載の頭髪成形器。
【発明の詳細な説明】
【技術分野】
【０００１】
本発明は頭髪を嵩上げ整形するために頭髪内に差し込んで使用する頭髪整形器に関する。
【背景技術】
【０００２】
従来の頭髪整形器として、両端部分で連結された大小二つの円弧により、頭髪を嵩上げするために離間させてなる本体部と、当該本体部の上面並びに下面にそれぞれ本体部と一体に合成樹脂で形成された頭髪保持用空間を空けた状態で突出形成させるとともに、下面の頭髪保持部は本体部の下面の円弧上の前端縁部分から前方及び後方へ所定長さの櫛歯を延出し、その先端部分を下方に折り曲げて差し込み部を形成したものが開示される（例えば特許文献１参照）。この頭髪整形器は、頭部方向に折れ曲がって形成された本体部下部の差し込み部を頭髪内へ差し込んで固定するものである。また、本体部の連結した２つの円弧で形成される空間の中間部分には複数本の縦リブと横リブが形成されている。
【先行技術文献】
【特許文献】
【０００３】
【特許文献１】特許第３１５２６４９号公報
【発明の概要】
【発明が解決しようとする課題】
【０００４】
しかしながら、上記従来の頭髪整形器は、頭部方向に二つ折れした螺旋状コイルそのままの形状であり、髪内へ埋め込みできる大きさとなるように端部が切り離されただけものであるため、ねじり込み途中の位置の認識を見失うことがあり、或いはねじり操作がうまくいかずに意に反する方向へ螺子込まれて所望の部分の髪止めができないことがあった。
【０００５】
また二つ折れの先端部分の空間を所望の髪束内に入り込ませることが容易では無く、先端の髪の巻きこみがうまくいかなかったり、初めからずれた方向へ螺子込まれたりする場合があった。これらのため、上記従来の頭髪成形器では、セットしたい頭髪の意向に沿った確実な髪止めを行うことができなかった。
【０００６】
そこで本発明は、ねじり込み中に本体の位置の認識を失ったり、意に反する方向へ螺子込まれたりする事態を防ぎ、セットしたい頭髪の意向に沿ったより確実な髪止めを行うことができる頭髪整形器を提供することを課題とする。
【課題を解決するための手段】
【０００７】
上記課題を解決すべく本発明では下記（１）〜（５）の手段を講じている。
【０００８】
（１）本発明の頭髪整形器は、
仮想軸周りに所定の周回方向に螺旋成形された棒状の第一螺旋棒２と、
前記仮想軸と同一の、又は並行する仮想軸周りに、前記第一螺旋棒と非接触の近接位置にて所定の周回方向へ螺旋成形された棒状の第二螺旋棒３とから構成され、
前記第一、第二螺旋棒（２，３）の各一端同士が互いに対向し、当該一端方向を向いて折曲又は湾曲した曲り部で繋がって連繋先部４を形成し、
前記第一、第二螺旋棒（２，３）の各他端にそれぞれ連なると共に、互いに離反する方向に折れ曲がった２つの離反端部６を形成してなり、
連繋先部４を先頭として使用者の頭髪内へ捩じり入れることで頭髪を巻き止めし得る頭髪成型器であって、
第一、第二螺旋棒（２／３）にそれぞれ連なる前記各離反端部６は、軸交断面視にて当該螺旋棒（２／３）螺旋周回方向と逆方向へ反曲してなることで、各離反端部６の内側面と、当該各離反端部６に連なる第一、第二螺旋棒２，３の外側面との間に、それぞれ、径方向への偏倚空間（２Ｄ，３Ｄ）が形成されることを特徴とする。
【０００９】
（２）前記いずれか記載の頭髪成形器において、
第一、第二螺旋棒２，３は、それぞれの一端（連結先部４）と他端（２Ｅ，３Ｅ）を除く中央部分が、軸交断面視にて略半周相当の位相差を保って同一の周回方向に螺旋成形されることが好ましい。
【００１０】
このようなものであれば、第一、第二螺旋棒２，３が併せて半周ずつの位相差の螺旋進行によって周方向へ均等な巻き取りを行うことができ、ねじり進行の直進性に優れたものとなるため、ねじり込み方向の操作が行いやすく、意に反する方向へ螺子込まれたりする事態をより確実に防ぐことができる。
【００１１】
（３）前記いずれか記載の頭髪成形器において、
第一、第二螺旋棒２，３の各他端近傍から前記各離反端部６と連なる他端にかけて、
当該部分よりも一端側の螺旋周回部分の周回径よりも軸に対して外方へ偏倚しながら、螺旋周回方向と同じ軸周りに螺旋湾曲した偏倚端部２Ｅ，３Ｅを構成することが好ましい。
【００１２】
偏倚端部２Ｅ，３Ｅが他端に向かって拡径しながら同軸の螺旋方向に伸長することで、中央の螺旋周回部よりも巻き量の大きい螺旋棒部分を他端部に有することとなる。これによって、螺旋棒の他端部にて巻き髪量５Ｅを中央部の巻き髪量５より多く確保することができ、頭髪の無理な負担を与えることなく、一螺旋棒における巻き量の変化に基づく髪内への定着性に優れたものとなる。
（４）前記いずれか記載の頭髪成形器において、前記各偏倚端部２Ｅ，３Ｅは、軸交断面視にて、各離反端部と連なる螺旋周回部分の半螺旋周回以内の螺旋角度の棒長区間において構成され、かつ、径方向外方への少なくとも各螺旋棒の棒幅分以上の外偏倚量２Ｄ，３Ｄをもって偏倚してなることが好ましい。
（５）前記いずれか記載の頭髪成形器において、連繋先部４は、第一、第二螺旋棒２，３の各一端同士が直線棒４Ｓで構成されると共に当該直線棒４Ｓ同士が９０度以内の交差角度４θで繋がって一体的に形成された折曲部からなり、かつ、曲り部の曲り外面から軸方向先側へ突出した突出部４Ｐが形成され、さらに曲り部の内折面から軸方向先側へ窪んだ窪み部４Ｄが形成されることが好ましい。
先端付近の螺旋棒２，３よりも先方向に膨らんで突出した突出部４Ｐを髪束に押し当てることによって、髪束内への初期当接箇所から位置ずれすることなく確実に差し入れることができる。
【００１３】
また窪み部４Ｄによって、第一、第二螺旋棒２，３同士で構成される先端の巻き取り空間８に、中央の巻き取り空間９よりも多くの巻き髪５Ｔ量を確保することができ、一螺旋棒における巻き量の変化に基づく髪内への定着性に優れたものとなる。また他端の巻き取り空間８の巻き取り髪群５Ｔと先端の巻き取り空間８の巻き取り髪群５Ｅとが略同量になるように、第一、第二螺旋棒２，３間の対向ねじれ面積を調整することで、全体としての巻き髪量を一定としながら中央部でのみ巻き髪量５を若干減らした髪巻きを行うこととなる。この場合、先端及び他端からなる両端の巻き髪量５Ｔ，５Ｅを中央部の複数の巻き髪量５より多く確保することができ、頭髪の無理な負担を与えることなく、一螺旋棒における巻き量の変化に基づく髪内への定着性に優れたものとなる。
【００１４】
（６）前記いずれか記載の頭髪成形器において、連繋先部４は、第一、第二螺旋棒２，３の各一端同士が９０度以内の交差角度４θで繋がって一体的に形成された折曲部からなり、かつ、折曲頂部の連繋側面の少なくとも片側から軸交方向外側へ膨出した膨出部７が形成されることが好ましい。
【００１５】
９０度よりも小さい交差角度４θで比較的鋭利な先端形状をもって突入可能であると共に、折れ曲げ部を髪束に押し当てたとき、膨出部によって髪束を押しわけることとなり、これによって、髪束内への初期当接箇所から位置ずれすることなく容易に差し入れることができる。
【発明の効果】
【００１６】
上記手段を講じた頭髪整形器は、偏倚空間を空けて径方向外方へ偏倚した離反端部を具備しており、これが位置及びねじ込み角度認識を兼ねた操作片となるため、ねじり込み中に本体の位置の認識を失ったり、意に反する方向へ螺子込まれたりする事態を防ぐことができ、セットしたい頭髪の意向に沿ったより確実な髪止めを行うことができるものとなった。
【図面の簡単な説明】
【００１７】
【図１】実施例１の頭髪整形器の斜視外観図。
【図２】実施例１の頭髪整形器の背面図（背面側の軸交面図）。
【図３】実施例１の頭髪整形器の側面図。
【図４】実施例１の頭髪整形器の頭髪挿入後（装着後）の巻き取り髪群の量を示した概念図。
【発明を実施するための形態】
【００１８】
以下、本発明の頭髪整形器を実施例１として示す各図とともに説明する。図１〜５に示す本発明の実施例１の頭髪整形器１は、
仮想軸周りに所定の周回方向に螺旋成形された棒状の第一螺旋棒２と、
前記仮想軸と同一の、又は並行する仮想軸周りに、前記第一螺旋棒と非接触の近接位置にて所定の周回方向へ螺旋成形された第二螺旋棒３とからなる。
前記各螺旋棒の一端同士が互いに対向し、所定の交差角度４θで繋がって連繋先部４を形成し、前記各螺旋棒の他端がそれぞれ互いに離反する方向に折れ曲がって離反端部６を形成することで、一体的な屈曲乃至湾曲棒体として構成される。
【００１９】
そして、折曲形状の連繋先部４を先頭として使用者の頭髪内へ捩じり入れることで髪止めし得る頭髪成型器である。
各離反端部は、軸交断面視にて螺旋周回方向と逆方向へ反曲してなり、軸交断面視にて、各離反端部付近の内側面と、各離反端部に連なる第一、第二螺旋棒２，３の視螺旋状外側面との間に、それぞれ、径方向への偏倚空間（２Ｄ，３Ｄ）が形成される。この偏倚空間（２Ｄ，３Ｄ）によって、捩じり挿入時及び挿入定着後の操作性に優れ、かつ成形器自体の髪内への定着性に優れたものとなっている。また他端部にて径方向外方へ突出するため、鏡等で目視することなく定着位置を認識しやすく、廻りの髪による隠蔽作業や髪成形の作業がより効率的に行われる。
（第一、第二螺旋棒２，３）
第一、第二螺旋棒２，３は、それぞれの一端と他端を除く中央部分が、軸交断面視にて略半周相当すなわち略１８０度の位相差を保って同一の周回方向に螺旋成形される。
【００２０】
またいずれも、断面円形の剛性棒状体からなり、周面が非静電材の合成樹脂層で覆われて、直線状の同一の仮想軸周りに所定の周回方向に螺旋成形される。第一、第二螺旋棒同士は、互いに仮想軸周りに、前記第一螺旋棒と非接触の近接位置にて所定の周回方向へ螺旋成形される。第一、第二螺旋棒同士が先端の連繋先部４にて一体的に連繋形成され、螺子入れ時の頭髪の巻き取り空間を有する。
【００２１】
第一、第二螺旋棒２，３はまた、それぞれの一端（連結先部４）と他端（２Ｅ，３Ｅ）を除く中央部分が、軸交断面視にて略半周相当の位相差を保って同一の周回方向に螺旋成形される。このようなものであれば、第一、第二螺旋棒２，３が併せて半周ずつの位相差の螺旋進行によって周方向へ均等な巻き取りを行うことができ、ねじり進行の直進性に優れたものとなるため、ねじり込み方向の操作が行いやすく、意に反する方向へ螺子込まれたりする事態をより確実に防ぐことができる。
【００２２】
（偏倚端部２Ｅ，３Ｅ）第一、第二螺旋棒２，３のうち、各離反端部と連なる他端の所定長部分において、当該部分よりも一端寄りの螺旋周回径よりも外方へ偏倚した軸交断面視外方偏倚位置で、螺旋周回方向と同方向に湾曲した偏倚端部２Ｅ，３Ｅが構成される。
【００２３】
各偏倚端部２Ｅ，３Ｅは、軸交断面視にて、各離反端部と連なる他端から螺旋半周回以内の棒長区間において構成され、かつ、径方向外方への少なくとも各螺旋棒の棒幅分以上の外偏倚量をもって偏倚し、離反端部６を端部に有してなる。第一、第二螺旋棒（２／３）にそれぞれ連なる前記各離反端部６は、軸交断面視にて当該螺旋棒（２／３）螺旋周回方向と逆方向へ反曲してなることで、各離反端部６の内側面と、当該各離反端部６に連なる第一、第二螺旋棒２，３の外側面との間に、それぞれ、径方向への偏倚空間（２Ｄ，３Ｄ）が形成される。
【００２４】
偏倚端部２Ｅ，３Ｅはまた、第一、第二螺旋棒２，３の各他端近傍から前記各離反端部６と連なる他端にかけて構成され、当該部分よりも一端側の螺旋周回部分の周回径よりも軸に対して外方へ偏倚しながら、螺旋周回方向と同じ軸周りに螺旋湾曲してなる。偏倚端部２Ｅ，３Ｅが他端に向かって拡径しながら同軸の螺旋方向に伸長することで、中央の螺旋周回部よりも巻き量の大きい螺旋棒部分を他端部に有することとなる。これによって、螺旋棒の他端部にて巻き髪量５Ｅを中央部の巻き髪量５より多く確保することができ、頭髪の無理な負担を与えることなく、一螺旋棒における巻き量の変化に基づく髪内への定着性に優れたものとなる。特に各偏倚端部２Ｅ，３Ｅは、軸交断面視にて、各離反端部と連なる螺旋周回部分の半螺旋周回以内の螺旋角度の棒長区間において構成され、かつ、径方向外方への少なくとも各螺旋棒の棒幅分以上の外偏倚量２Ｄ，３Ｄをもって偏倚してなることが好ましい。
【００２５】
（連繋先部４）連繋先部４は、第一、第二螺旋棒２，３の各一端同士が直線棒４Ｓで構成されると共に当該直線棒４Ｓ同士が９０度以内の交差角度４θで繋がって一体的に形成された折曲部からなり、かつ、曲り部の曲り外面から軸方向先側へ部分球状に突出した突出部４Ｐが形成され、さらに曲り部の内折面から軸方向先側へ窪んだ窪み部４Ｄが形成される。また連繋先部４は、第一、第二螺旋棒２，３の各一端同士が９０度以内の交差角度４θで繋がって一体的に形成された折曲部からなり、かつ、折曲頂部の連繋側面の少なくとも片側から軸交方向外側へ扁平形状で膨出した、略半楕円球状の膨出部７が形成される。
【００２６】
先端付近の螺旋棒２，３よりも先方向に膨らんで突出した突出部４Ｐを髪束に押し当てることによって、髪束内への初期当接箇所から位置ずれすることなく確実に差し入れることができる。
【００２７】
また窪み部４Ｄによって、第一、第二螺旋棒２，３同士で構成される先端の巻き取り空間８に、中央の巻き取り空間９よりも多くの巻き取り髪の量を確保することができ、一螺旋棒における巻き量の変化に基づく髪内への定着性に優れたものとなる。また他端の巻き取り空間８の巻き取り髪群５Ｔと先端の巻き取り空間８の巻き取り髪群５Ｅとが略同量になるように、第一、第二螺旋棒２，３間の対向ねじれ面積を調整することで、全体としての巻き取り髪量を一定としながら中央部でのみ巻き取り空間５を若干減らした髪巻きを行うこととなる。この場合、先端及び他端からなる両端の巻き髪量５Ｔ，５Ｅを中央部の複数の巻き髪量５より多く確保することができ、頭髪の無理な負担を与えることなく、一螺旋棒における巻き量の変化に基づく髪内への定着性に優れたものとなる。
【００２８】
また９０度よりも小さい交差角度４θで比較的鋭利な先端形状をもって突入可能であると共に、折れ曲げ部を髪束に押し当てたとき、膨出部によって髪束を押しわけることとなり、これによって、髪束内への初期当接箇所から位置ずれすることなく容易に差し入れることができる。
【００２９】
（使用方法）
本発明の頭髪成形器を使用する際は、所定量だけ纏めてねじり上げた髪束の根元部分、或いはこれよりも下側にある地毛部分に、連繋先部４を差し込み、離反端部を時計周りに回転させながら軸方向先側へねじ入れ、頭髪成形器１全体を髪内に挿入する。本体を回転させながら軸方向先側へ押し入れることで、軸方向に沿うねじれ曲面内に構成される巻き取り空間内へ、髪束が所定量ずつ巻き取られる。離反端部が外方へ反曲し突出しているため、ねじり込み中に本体の位置の認識を失ったり、意に反する方向へ螺子込まれたりすることをふせぎ、セットしたい頭髪の意向に沿ったより確実な髪止めを行うことができる。
【００３０】
また、連繋先部を斜め下方に向けて髪束の根元付近の上方から本体をねじ込み、次いで髪束を上方へ回し上げで巻き挙げ止めすることができ、逆にやや上方を向けて螺子込むことで、髪束の下方から本体を埋設させて髪止めすることができる。
【００３１】
その他本発明は上述の実施例に限定されることなく、本発明の趣旨を逸脱しない範囲で種々の変形が可能である。
【符号の説明】
【００３２】
１  頭髪成形器（本体）
１Ｄ  螺旋外径
２  第一螺旋棒
２Ｄ  偏倚空間
２Ｅ  外偏倚部
３  第二螺旋棒
３Ｄ  偏倚空間
３Ｅ  外偏倚部
４  連繋先部
４Ｓ  交差辺
４θ  交差角度
５  巻き取り空間
５Ｔ  先端の巻き取り空間
５Ｅ  基端の巻き取り空間
６  離反端部
６Ｄ  外端距離
７  膨出部
８  端部の巻き取り髪群
９  中央の巻き取り髪群
【図１】
2013138765.tif 000003
【図２】
2013138765.tif 000004
【図３】
2013138765.tif 000005
【図４】
2013138765.tif 000006